(57)【要約】【課題】構造が簡単で、ハゼ式折板屋根のハゼ部と吊子との接合部分などの被補強部を補強する作業を作業性よく行うことができる補強器具を実現する。【解決手段】ハゼ部と吊子Ｈとの接合部分Ｓｃを挟持する一対の挟持片１１０、１２０と、一対の挟持片１１０、１２０を接続する接続部１３０とを有し、接続部１３０における一方側接続部分１３１ａと他方側接続部分１３１ｂの２箇所を塑性変形させることにより一対の挟持片１１０、１２０がハゼ式折板屋根のハゼ部と吊子Ｈとの接合部分Ｓｃを押圧するように接続部１３０を構成した。【選択図】図４
2015071875.tif 000002
【特許請求の範囲】
【請求項１】
被補強部を補強する補強器具であって、
該被補強部を挟持する一対の挟持片と、
該一対の挟持片を接続する接続部と
を有し、
該接続部は、該接続部の少なくとも一部を塑性変形させることにより該一対の挟持片が該被補強部を押圧するように構成されている、補強器具。
【請求項２】
前記一対の挟持片の一方は、前記被補強部の変形を規制するように該被補強部に当接する当接片を有する、請求項１に記載の補強器具。
【請求項３】
前記被補強部は、ハゼ式折板屋根のハゼ部と、該ハゼ部を支持する吊子との接合部分であり、前記当接片は、該吊子の変形が規制されるように該接合部分を押圧する、請求項２に記載の補強器具。
【請求項４】
前記一対の挟持片の他方は、該他方の挟持片の下端から側方側に延びる下端延在部を有し、該下端延在部が前記ハゼ式折板屋根の表面に接触することにより前記補強器具の回転を規制する、請求項３に記載の補強器具。
【請求項５】
前記一対の挟持片の少なくとも一方は上部片と下部片とを有し、該上部片は該下部片に対して内側に傾斜している、請求項１から請求項４のいずれか一項に記載の補強器具。
【請求項６】
前記接続部は、前記一対の挟持片が前記被補強部を押圧するように塑性変形させる箇所を１箇所以上含む、請求項１から請求項５のいずれか一項に記載の補強器具。
【請求項７】
前記接続部は、前記一対の挟持片の間に位置する中間部材と、該中間部材と該一対の挟持片の一方とが接続された一方側接続部分と、該中間部材と該一対の挟持片の他方とが接続された他方側接続部分とを含み、該一方側接続部分および該他方側接続部分を塑性変形させることにより該一対の挟持片が前記被補強部を押圧するように構成されている、請求項６に記載の補強器具。
【請求項８】
前記接続部は、前記一対の挟持片の一方と該一対の挟持片の他方とが接続された接続部分を含み、該接続部分を塑性変形させることにより該一対の挟持片が前記被補強部を押圧するように構成されている、請求項６に記載の補強器具。
【請求項９】
前記一対の挟持片の幅は、前記吊子の幅より広い、請求項３または請求項４に記載の補強器具。
【請求項１０】
前記一対の挟持片の幅は、前記吊子の幅より狭い、請求項３または請求項４に記載の補強器具。
【発明の詳細な説明】
【技術分野】
【０００１】
本発明は、補強器具に関し、特に、ハゼ式折板屋根のハゼ部と吊子との接合部分などの被補強部を補強する補強器具に関する。
【背景技術】
【０００２】
従来から工場や倉庫などの建造物には、金属屋根として折板屋根が広く用いられている。折板屋根は、一定幅の屋根材を幅方向に複数接続したものであり、個々の屋根材は山部と谷部とを有する。
【０００３】
特に、ハゼ式折板屋根は、隣接する屋根材の端部をハゼ締めと呼ばれるカシメ加工により接合することにより形成されている。隣接する屋根材の端部を接合した部分は、屋根の表面から突出した強度の高い線状突起部（ハゼ部）となっており、このハゼ部は、建造物の屋根の下地材に取り付けられているタイトフレームに吊子を用いて固定されている。
【０００４】
図１１は、従来のハゼ式折板屋根を説明する図であり、隣接する屋根材の端部を重ねた状態（図（ａ））、隣接する屋根材の端部を吊子とともに重ねた状態（図（ｃ））、隣接する屋根材のハゼ部（図（ｂ））、隣接する屋根材のハゼ部と吊子との接合部分（図（ｄ））を示している。
【０００５】
ハゼ式折板屋根Ｒのハゼ部Ｓ（図１１（ｂ））は、図１１（ａ）に示すように、隣接する屋根材ＲｍａおよびＲｍｂの端部を重ね合わせ、これらの重ね合わせ部分にカシメ加工を施して形成されている。また、ハゼ部Ｓと吊子Ｈとの接合部分（図１１（ｄ））Ｓｃは、隣接する屋根材ＲｍａおよびＲｍｂの端部を、両端部が吊子を挟むように重ね合わせ、さらにこれらの重ね合わせ部分にカシメ加工を施して形成されている。このようなカシメ加工によりハゼ部Ｓと吊子Ｈとを接合することにより折板屋根Ｒは吊子Ｈによって支持される。
【０００６】
ところで、このような構造のハゼ式折板屋根は、図１２（ａ）〜図１２（ｂ）に示すように、下側から吹き上げる風Ｗの風圧により接合部分Ｓｃで吊子Ｈが変形するおそれがある。
【０００７】
そこで、ハゼ式折板屋根の補強対策として、従来からハゼ部を吊子とともに挟み込んで補強する締結金具が用いられている（例えば、特許文献１の第２頁第４欄第１３行〜第３５行、図２）。
【先行技術文献】
【特許文献】
【０００８】
【特許文献１】実公平６−１３２９９号公報
【発明の概要】
【発明が解決しようとする課題】
【０００９】
このような締結金具は、少なくとも、ハゼ部を挟む一対の挟持部材の他に、これらの挟持部材がハゼ部を押圧するように挟持部材を弾性変形させる締結具が必要であり、部品点数が多く、この締結金具の取り付けには、挟持部材の装着だけでなく、締結具の装着や締め付けといった作業が必要であり、取り付け作業の作業性もよくないといった問題があった。
【００１０】
本発明は、上記のような問題点を解決するためになされたものであり、構造が簡単で、ハゼ式折板屋根のハゼ部と吊子との接合部分などの被補強部を補強する作業を作業性よく行うことができる補強器具を得ることを目的とする。
【課題を解決するための手段】
【００１１】
本発明に係る補強器具は、被補強部を補強する補強器具であって、該被補強部を挟持する一対の挟持片と、該一対の挟持片を接続する接続部とを有し、該接続部は、該接続部の少なくとも一部を塑性変形させることにより該一対の挟持片が該被補強部を押圧するように構成されており、そのことにより上記目的が達成される。
【００１２】
本発明は、上記補強器具において、前記一対の挟持片の一方は、前記被補強部の変形を規制するように該被補強部に当接する当接片を有することが好ましい。
【００１３】
本発明は、上記補強器具において、前記被補強部は、ハゼ式折板屋根のハゼ部と、該ハゼ部を支持する吊子との接合部分であり、前記当接片は、該吊子の変形が規制されるように該接合部分を押圧することが好ましい。
【００１４】
本発明は、上記補強器具において、前記一対の挟持片の他方は、該他方の挟持片の下端から側方側に延びる下端延在部を有し、該下端延在部が前記ハゼ式折板屋根の表面に接触することにより前記補強器具の回転を規制することが好ましい。
【００１５】
本発明は、上記補強器具において、前記一対の挟持片の少なくとも一方は上部片と下部片とを有し、該上部片は該下部片に対して内側に傾斜していることが好ましい。
【００１６】
本発明は、上記補強器具において、前記接続部は、前記一対の挟持片が前記被補強部を押圧するように塑性変形させる箇所を１箇所以上含むことが好ましい。
【００１７】
本発明は、上記補強器具において、前記接続部は、前記一対の挟持片の間に位置する中間部材と、該中間部材と該一対の挟持片の一方とが接続された一方側接続部分と、該中間部材と該一対の挟持片の他方とが接続された他方側接続部分とを含み、該一方側接続部分および該他方側接続部分を塑性変形させることにより該一対の挟持片が前記被補強部を押圧するように構成されていることが好ましい。
【００１８】
本発明は、上記補強器具において、前記接続部は、前記一対の挟持片の一方と該一対の挟持片の他方とが接続された接続部分を含み、該接続部分を塑性変形させることにより該一対の挟持片が前記被補強部を押圧するように構成されていることが好ましい。
【００１９】
本発明は、上記補強器具において、前記一対の挟持片の幅が前記吊子の幅より広くても狭くてもよいものである。
【発明の効果】
【００２０】
以上のように、本発明によれば、構造が簡単で、ハゼ式折板屋根のハゼ部と吊子との接合部分などの被補強部を補強する作業を作業性よく行うことができる補強器具を実現することができる。
【図面の簡単な説明】
【００２１】
【図１】図１は、本発明の実施形態１による補強器具を適用するハゼ式折板屋根を説明する図であり、ハゼ式折板屋根のハゼ部と吊子との位置関係（図（ａ））、およびハゼ部と吊子との接合部分の断面の構造（図（ｂ）、図（ｃ））を示している。
【図２】図２は、本発明の実施形態１による補強器具を説明する斜視図であり、この補強器具の外観を示している。
【図３】図３は、本発明の実施形態１による補強器具を説明する側面図であり、図２の矢印Ａ〜Ｃの方向から見た形状（図（ａ）〜図（ｃ））を示している。
【図４】図４は、本発明の実施形態１による補強器具をハゼ式折板屋根のハゼ部に取り付ける方法を、工程順（図（ａ）〜図（ｂ））に説明する図である。
【図５】図５は、本発明の実施形態１による補強器具をハゼ式折板屋根のハゼ部に取り付けた状態を説明する斜視図（図（ａ））及び平面図（図（ｂ））である。
【図６】図６は、本発明の実施形態１の変形例による補強器具を説明する図であり、この補強器具をハゼ式折板屋根のハゼ部に取り付けた状態を説明する斜視図（図（ａ））及び平面図（図（ｂ））である。
【図７】図７は、本発明の実施形態２による補強器具を説明する斜視図であり、この補強器具の外観を示している。
【図８】図８は、本発明の実施形態２による補強器具を説明する側面図であり、図７の矢印Ａ１、Ｂ１、Ｃ１の方向から見た形状（図（ａ）、図（ｂ）、図（ｃ））を示している。
【図９】図９は、本発明の実施形態２による補強器具をハゼ式折板屋根のハゼ部に取り付ける方法を工程順（図（ａ）〜図（ｂ））に説明する図である。
【図１０】図１０は、本発明の実施形態２による補強器具をハゼ式折板屋根のハゼ部に取り付けた状態を説明する斜視図（図（ａ））及び平面図（図（ｂ））である。
【図１１】図１１は、従来のハゼ式折板屋根を説明する図であり、隣接する屋根材の端部を重ねた状態（図（ａ））、隣接する屋根材の端部を吊子とともに重ねた状態（図（ｃ））、隣接する屋根材の端部を重ねてカシメ加工を行った状態（図（ｂ））、隣接する屋根材を吊子とともに重ねてカシメ加工を行った状態（図（ｄ））を示している。
【図１２】図１２は、従来のハゼ式折板屋根の問題点を説明する図であり、風圧により吊子が変形する様子（図（ａ）〜図（ｂ））を示している。
【発明を実施するための形態】
【００２２】
以下、本発明の実施形態について図面を参照しながら説明する。
【００２３】
（実施形態１）
図１は、本発明の実施形態１による補強器具を適用するハゼ式折板屋根を説明する図であり、ハゼ式折板屋根のハゼ部と吊子との位置関係（図（ａ））、およびハゼ部と吊子との接合部分の断面の構造（図（ｂ）、図（ｃ））を示している。
【００２４】
ハゼ式折板屋根Ｒは、図１（ａ）に示すように、隣接する屋根材ＲｍａおよびＲｍｂの端部を重ね合わせて折り曲げて接合した構造となっている。ハゼ部Ｓと吊子Ｈとの接合部分Ｓｃは、図１（ｂ）に示すように、タイトフレームＴｆにボルトナットなどの締結具Ｆｓにより固定された吊子Ｈに屋根材ＲｍａおよびＲｍｂを重ねた状態で、図１（ｃ）に示すように吊子Ｈ、屋根材ＲｍａおよびＲｍｂにカシメ加工を施すことにより形成されている。ここで、タイトフレームＴｆは、建造物の屋根の下地材Ｂなどに取り付けられている。
【００２５】
ここで、吊子Ｈは、吊子頭部Ｈｈと吊子胴体部Ｈｂとを有し、吊子胴体部Ｈｂは、下地材Ｂに固定される胴体横片Ｈｂ１と、吊子頭部Ｈｈを支持する胴体縦片Ｈｂ２とを含む。吊子頭部Ｈｈは、胴体縦片Ｈｂ２につながる頭部縦片Ｈｈ１と、頭部縦片Ｈｈ１につながる頭部横片Ｈｈ２と、頭部横片Ｈｈ２の先端から折り返された折返片Ｈｈ３とを含む。
【００２６】
また、吊子頭部Ｈｈの下側に位置する屋根材Ｒｍａの端部Ｅａは、端部縦片Ｅａ１と、端部縦片Ｅａ１の上端から横方向に延びる端部横片Ｅａ２とを含む。吊子頭部Ｈｈの上側に位置する屋根材Ｒｍｂの端部Ｅｂは、端部縦片Ｅｂ１と、端部縦片Ｅｂ１の端部から横方向に延びる端部横片Ｅｂ２と、端部横片Ｅｂ２の先端から下側に折り返された端部折返片Ｅｂ３と、端部折返片Ｅｂ３の下端から外側に折り曲げられた折曲片Ｅｂ４とを含む。
【００２７】
図２は、本発明の実施形態１による補強器具を説明する斜視図であり、この補強器具の外観を示している。また、図３は、本発明の実施形態１による補強器具を説明する側面図であり、図２の矢印Ａ〜Ｃの方向から見た形状（図３（ａ）〜図３（ｃ））を示している。
【００２８】
この補強器具１００は、ハゼ式折板屋根Ｒのハゼ部Ｓと吊子Ｈとの接合部分（被補強部）Ｓｃ（図１、図４参照）を補強するものである。補強器具１００は、接合部分Ｓｃを挟持する一対の挟持片１１０、１２０と、一対の挟持片１１０、１２０と一体に形成され、一対の挟持片を接続する接続部１３０とを有している。ここで、一対の挟持片１１０および１２０の間には接合部分Ｓｃを通過させるスペースＳｐが形成されている。接続部１３０は、接続部１３０の少なくとも一部を塑性変形させることにより一対の挟持片１１０、１２０が接合部分Ｓｃを押圧するように構成されている。
【００２９】
具体的には、接続部１３０は、一対の挟持片１１０、１２０の間に位置する中間部材１３１と、中間部材１３１と一方の挟持片１１０が接続された一方側接続部分１３１ａと、中間部材１３１と他方の挟持片１２０とが接続された他方側接続部分１３１ｂとを含み、一方側接続部分１３１ａおよび他方側接続部分１３１ｂを塑性変形させることにより一対の挟持片１１０、１２０が接合部分Ｓｃを押圧するように構成されている。ここで、挟持片１１０は、上部片１１１ａおよび下部片１１１ｂを含む側片１１１を有し、上部片１１１ａは下部片１１１ｂに対して内側に傾斜している。さらに、挟持片１１０は、側片１１１の下端から側方側に延びる下端延在部１１２を有していてもよい。この下端延在部１１２は、ハゼ式折板屋根Ｒの表面に接触することにより補強器具１００の回転を規制するものである。
【００３０】
挟持片１２０は、上部片１２１ａおよび下部片１２１ｂを含む側片１２１と、下部片１２１ｂの下端につながる底片１２２と、底片１２２の一端から斜め上方に延びる当接片１２３とを有している。当接片１２３は、吊子Ｈの変形が規制されるように、屋根材Ｒｍｂの端部Ｅｂの先端に位置する折曲片Ｅｂ４が吊子Ｈの頭部縦片Ｈｈ１と重なる部分に当接する。さらに、一対の挟持片１１０および１２０の幅Ｗ１は、吊子Ｈの幅Ｗｈより長く、補強器具１００を接合部分Ｓｃに取り付けたとき、吊子Ｈの両端部が補強器具１００からはみ出ないようになっている。これにより吊子Ｈの両端部で屋根材Ｒｍａの端部Ｅａおよび屋根材Ｒｍｂの端部Ｅｂが吊子Ｈから捲れにくくしてある。
【００３１】
次に、ハゼ式折板屋根Ｒのハゼ部Ｓと吊子Ｈとの接合部分Ｓｃに補強器具１００を取り付ける方法を説明する。
【００３２】
図４は、本発明の実施形態１による補強器具をハゼ式折板屋根のハゼ部と吊子との接合部分に取り付ける方法を工程順（図（ａ）〜図（ｂ））に説明する図である。図５は、本発明の実施形態１による補強器具をハゼ式折板屋根のハゼ部に取り付けた状態を説明する斜視図（図（ａ））及び平面図（図（ｂ））である。
【００３３】
まず、補強器具１００の挟持片１２０の当接片１２３がハゼ部Ｓと吊子Ｈとの接合部分Ｓｃにおける屋根材Ｒｍｂの折曲片Ｅｂ４に当接するように補強器具１００を屋根材Ｒｍａ上に配置する。このとき、挟持片１２０の底片１２２は屋根材Ｒｍａの表面に沿わせて配置することにより、補強器具１００を接合部分Ｓｃに固定した後の補強器具１００の接合部分Ｓｃに対する姿勢を決めておく（図４（ａ））。この状態では、補強器具１００の挟持片１１０は、一対の挟持片１１０および１２０の間を接合部分Ｓｃが通過できる程度のスペースＳｐが確保されるように、接合部分Ｓｃから離れて位置しており、一対の挟持片１１０および１２０が大きく開いた形状となっている。
【００３４】
続いて、補強器具１００の挟持片１１０が接合部分Ｓｃに近づき、挟持片１１０の下部片１１１ｂと挟持片１２０の当接片１２３とが接合部分Ｓｃを挟持するように、接続部１３０の両端の、一対の挟持片１１０および１２０と中間部材１３１とが接続されている部分１３１ａおよび１３１ｂをカシメ加工により塑性変形させる（図４（ｂ））。
【００３５】
このとき、挟持片１１０の下部片１１１ｂと挟持片１２０の当接片１２３とにより接合部分Ｓｃが挟持されることにより、接合部分Ｓｃにおける屋根材ＲｍａおよびＲｍｂの縦片Ｅａ１およびＥｂ１と、これらの間に挟み込まれている吊子Ｈの頭部縦片Ｈｈ１とが押圧されることとなる。これにより、屋根材Ｒｍｂの端部Ｅｂの縦片Ｅｂ１と吊子頭部Ｈｈの縦片Ｈｈ１との間の摩擦力、および屋根材Ｒｍａの端部Ｅａの縦片Ｅａ１と吊子頭部Ｈｈの縦片Ｈｈ１との間の摩擦力が増大し、風圧などによるハゼ部Ｓと吊子Ｈとの位置ずれが抑制されることとなる。
【００３６】
さらに、挟持片１２０の当接片１２３が屋根材Ｒｍｂの折曲片Ｅｂ４に当接しているので、ハゼ部Ｓと吊子Ｈとの接合部分Ｓｃが、吊子Ｈの頭部縦片Ｈｈ１と頭部横片Ｈｈ２との角度が広がるように変形するのが抑制される。
【００３７】
このように実施形態１では、接合部分を挟持する一対の挟持片１１０、１２０と、一対の挟持片１１０、１２０を接続する接続部１３０とを有し、接続部１３０における一方側接続部分（中間部材１３１と挟持片１１０との接続部分）１３１ａと、他方側接続部分（中間部材１３１と挟持片１２０との接続部分）１３１ｂの２箇所を塑性変形させることにより一対の挟持片１１０、１２０がハゼ式折板屋根Ｒのハゼ部Ｓと吊子Ｈとの接合部分Ｓｃ（被補強部）を押圧するように接続部１３０を構成したので、構造が簡単で、ハゼ式折板屋根のハゼ部と吊子との接合部分などの被補強部を補強する作業を作業性よく行うことができる補強器具１００を実現することができる。
【００３８】
また、挟持片１２０は、吊子Ｈの頭部Ｈｈに巻きついている屋根材Ｒｍｂの端部Ｅｂの先端である折曲片Ｅｂ４に当接する当接片１２３を有するので、この当接片１２３が屋根材Ｒｍａの端部Ｅａの先端を吊子Ｈに押圧することとなる。これにより、風圧などにより、吊子Ｈの頭部縦片Ｈｈ１と頭部横片Ｈｈ２との角度が広がるように吊子Ｈが変形するときの端部Ｅｂの位置ずれを抑制でき、吊子Ｈの頭部Ｈｈの変形を抑制することができる。
【００３９】
さらに、挟持片１１０および１２０の側辺１１１および１２１の上片部１１１ａおよび１２１ａを、これらがハの字状をなすように、側辺１１１および１２１の下片部１１１ｂおよび１２１ｂに対して傾斜させているので、接続部１３０における一方側接続部分１３１ａと他方側接続部分１３１ｂを、一対の挟持片１１０、１２０が接合部分Ｓｃを押圧するように塑性変形させても、挟持片１１０、１２０の側辺１１１、１２１の上片部１１１ａ、１２１ａが逆ハの字状になることはない。このため、吊子Ｈの頭部縦片Ｈｈ１と、挟持片１１０の側片１１１の下部片１１１ｂとがほぼ平行となる安定な姿勢で、補強器具１００を接合部分Ｓｃに取り付けることができる。
【００４０】
（実施形態１の変形例）
図６は、本発明の実施形態１の変形例による補強器具を説明する図であり、この補強器具をハゼ式折板屋根のハゼ部に取り付けた状態を説明する斜視図（図（ａ））及び平面図（図（ｂ））である。
【００４１】
この実施形態１の変形例による補強器具１０００は、実施形態１による補強器具１００の幅Ｗ１ａを吊子Ｈの幅Ｗｈに比べて短くしたものであり、その他の構成は、実施形態１の補強器具１００と同一である。
【００４２】
具体的には、補強器具１０００は、実施形態１の補強器具１００と同様に、一対の挟持片１１０１、１２０１と、一対の挟持片を接続する接続部１３０１とを有している。この接続部１３０１は、接続部１３０１の少なくとも一部を塑性変形させることにより一対の挟持片１１０１、１２０１が接合部分Ｓｃを押圧するように構成されている。すなわち、接続部１３０１は、実施形態１のものと同様に、中間部材１３１１と、一方側接続部分１３１１ａと、他方側接続部分１３１１ｂとを含み、一方側接続部分１３１１ａおよび他方側接続部分１３１１ｂを塑性変形させることにより一対の挟持片１１０１、１２０１が接合部分Ｓｃを押圧するように構成されている。挟持片１１０１は、上部片１１１１ａおよび下部片１１１１ｂを含む側片１１１１と、下端延在部１１１２を有している。挟持片１２０１は、上部片１２１１ａおよび下部片１２１１ｂを含む側片１２１１と、底片１２２１と、当接片１２３１とを有している。
【００４３】
このように実施形態１の変形例では、実施形態１と同様に、ハゼ部と吊子との接合部分Ｓｃを補強する補強器具の部品点数を少なくし、取付作業を簡単にできるという効果に加えて、よりコンパクトで取り扱いが簡単な補強器具１０００を実現することができる。
【００４４】
例えば、この実施形態１の変形例では、実施形態１とは異なり、補強器具１０００の幅Ｗ１ａが吊子Ｈの幅Ｗｈに比べて短いので、吊子Ｈの両端部で、カシメ加工により接合されている屋根材ＲｍａおよびＲｍｂの端部が捲れ上がるのを防止するために、１つの接合部分Ｓｃに対して、吊子Ｈの両端を覆うように補強器具１０００を２つ取り付ける必要があるが、補強器具の幅が短い分、接続部の塑性変形をより小さい力で行うことが可能となり、カシメ加工の作業性が向上する。
【００４５】
（実施形態２）
図７は、本発明の実施形態２による補強器具２００を説明する斜視図であり、この補強器具の外観を示している。図８は、本発明の実施形態２による補強器具を説明する側面図であり、図７の矢印Ａ１、Ｂ１、Ｃ１の方向から見た形状（図（ａ）、図（ｂ）、図（ｃ））を示している。
【００４６】
この補強器具２００は、実施形態１の補強器具１００と同様に、屋根材ＲｍａおよびＲｍｂと吊子Ｈとの接合部分Ｓｃを補強するものであるが、この実施形態２の補強器具２００では、一対の挟持片２１０、２２０を接続する接続部２３０における塑性変形させる箇所は１箇所としている。
【００４７】
以下、具体的に説明する。
【００４８】
この実施形態２の補強器具２００は、屋根材ＲｍａおよびＲｍｂと吊子Ｈとの接合部分（被補強部）Ｓｃ（図１、図９参照）を補強するものである。補強器具２００は、接合部分Ｓｃを挟持する一対の挟持片２１０、２２０と、一対の挟持片２１０、２２０と一体に形成され、一対の挟持片を接続する接続部２３０とを有している。ここで、接続部２３０は、挟持片２１０の一端と挟持片２２０の一端とを一体に接続した部分である。また、挟持片２１０と挟持片２２０との間には、ハゼ式折板屋根Ｒのハゼ部Ｓと吊子頭部Ｈｈとの接合部分Ｓｃを通過させるスペースＳｐが形成されている。従って、この実施形態２では、接続部２３０は、この接続部２３０を塑性変形させることにより一対の挟持片２１０、２２０が接合部分Ｓｃを押圧するように構成されている。
【００４９】
挟持片２１０は、上部片２１１ａおよび下部片２１１ｂを含む側片２１１を有し、上部片２１１ａは下部片２１１ｂに対して内側に傾斜している。また、挟持片２１０は、側片２１１の下端から側方側に延びる下端延在部２１２を有していてもよい。この下端延在部２１２は、ハゼ式折板屋根Ｒの表面に接触することにより補強器具２００の回転を規制するものである。
【００５０】
挟持片２２０は、上部片２２１ａおよび下部片２２１ｂを含む側片２２１と、下部片２２１ｂの下端につながる底片２２２と、底片２２２の一端から斜め上方に延びる当接片２２３とを有している。当接片２２３は、ハゼ部Ｓの変形によるハゼ部Ｓと吊子Ｈとの分離が規制されるように接合部分Ｓｃの角部の内面に当接する。
【００５１】
さらに、一対の挟持片２１０および２２０の幅Ｗ２は、実施形態１の補強器具と同様に吊子Ｈの幅Ｗｈより長い。
【００５２】
次に、ハゼ式折板屋根Ｒのハゼ部Ｓと吊子Ｈとの接合部分Ｓｃに補強器具２００を取り付ける方法を説明する。
【００５３】
図９は、本発明の実施形態２による補強器具をハゼ式折板屋根のハゼ部に取り付ける方法を、工程順（図（ａ）〜図（ｂ））に説明する図である。図１０は、本発明の実施形態２による補強器具をハゼ式折板屋根のハゼ部に取り付けた状態を説明する斜視図（図（ａ））及び平面図（図（ｂ））である。
【００５４】
この実施形態２の補強器具２００も実施形態１の補強器具１００と同様に取り付ける。
【００５５】
まず、補強器具２００の挟持片２２０の当接片２２３がハゼ部Ｓと吊子Ｈとの接合部分Ｓｃにおける屋根材Ｒｍｂの折曲片Ｅｂ４に当接するように補強器具２００を屋根材Ｒｍａ上に配置する。このとき、実施形態１と同様に、補強器具２００を接合部分Ｓｃに固定した後の補強器具２００の姿勢を決めておく（図９（ａ））。
【００５６】
続いて、挟持片２１０の下部片２１１ｂと挟持片２２０の当接片２２３とが接合部分Ｓｃを押圧するように、挟持片２１０の上部片２１１ａと挟持片２２０の上部片２２１ａとの接続部分である接続部２３０をカシメ加工により塑性変形させる（図９（ｂ））。
【００５７】
これにより、屋根材Ｒｍｂの端部Ｅｂの縦片Ｅｂ１と吊子頭部Ｈｈの縦片Ｈｈ１との間の摩擦力、および屋根材Ｒｍａの端部Ｅａの縦片Ｅａ１と吊子頭部Ｈｈの縦片Ｈｈ１との間の摩擦力が増大し、風圧などによるハゼ部Ｓと吊子Ｈとの位置ずれが抑制されることとなる。
【００５８】
さらに、挟持片２２０の当接片２２３が屋根材Ｒｍｂの折曲片Ｅｂ４に当接しているので、ハゼ部Ｓと吊子Ｈとの接合部分Ｓｃが、吊子Ｈの頭部縦片Ｈｈ１と頭部横片Ｈｈ２との角度が広がるように変形するのが抑制される。
【００５９】
このように実施形態２では、接合部分を挟持する一対の挟持片２１０、２２０と、一対の挟持片を接続する接続部２３０とを有し、接続部２３０を塑性変形させることにより一対の挟持片２１０、２２０がハゼ式折板屋根Ｒのハゼ部Ｓと吊子Ｈとの接合部分Ｓｃ（被補強部）を押圧するように接続部２３０を構成したので、構造が簡単で、ハゼ式折板屋根のハゼ部と吊子との接合部分などの被補強部を補強する作業を作業性よく行うことができる補強器具２００を実現することができる。
【００６０】
また、挟持片２２０は、吊子Ｈの頭部Ｈｈに巻きついている屋根材Ｒｍｂの端部Ｅｂの先端である折曲片Ｅｂ４に当接する当接片２２３を有するので、この当接片２２３が屋根材Ｒｍａの端部Ｅａの先端を吊子Ｈに押圧することとなる。これにより、風圧などにより、吊子Ｈの頭部縦片Ｈｈ１と頭部横片Ｈｈ２との角度が広がるように吊子Ｈが変形するときの端部Ｅｂの位置ずれを抑制でき、吊子Ｈの頭部Ｈｈの変形を抑制することができる。
【００６１】
さらに、この実施形態２では、補強器具２００のカシメ加工により変形させる部分は一箇所であるので、屋根上で行うカシメ加工のための作業を簡単なものとでき、補強器具２００の取り付けの作業の作業性を向上させることができる。
【００６２】
なお、この実施形態２では、補強器具２００として、実施形態１による補強器具１００と同様に、吊子Ｈの幅Ｗｈに比べて広い幅Ｗ２を有するものを示したが、補強器具２００は、その幅が実施形態１の変形例による補強器具１０００と同様に、吊子Ｈの幅Ｗｈより狭いものでもよい。このような実施形態２の変形例による補強器具では、実施形態１の変形例による補強器具と同様に、吊子Ｈの両端部で、カシメ加工により接合されている屋根材ＲｍａおよびＲｍｂの端部が捲れ上がるのを防止するために、１つの接合部分Ｓｃに対して、吊子Ｈの両端を覆うように補強器具を２つ取り付ける必要があるが、補強器具の幅が短い分、接続部の塑性変形をより小さい力で行うことが可能となり、カシメ加工の作業性が向上するという効果が得られる。
【００６３】
また、上記実施形態１およびその変形例、並びに実施形態２およびその変形例では、被補強部としてハゼ部と吊子との接合部分を挙げているが、本発明の補強器具は、ハゼ部と吊子との接合部分以外の補強にも適用可能である。本発明の補強器具は、被補強部に取り付け可能な形状で被補強部に取り付け、取り付けた状態で塑性変形させることにより被補強部を補強する機能を有するものであればどのようなものでもよい。
【００６４】
さらに、上記実施形態１およびその変形例、並びに実施形態２およびその変形例では、挟持片の側片を上部片と下部片とで構成し、上部片を下部片に対して傾けたものを示したが、挟持片の側片は直線状、その他の形状であってもよい。さらに、上部片を下部片に対して傾けるのは、挟持片の一方であってもよい。
【００６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６６】
本発明は、ハゼ式折板屋根の補強器具の分野において、ハゼ式折板屋根が下から吹き上げる風を受けてもハゼ部が吊子から外れにくくなるようにハゼ部と吊子との接合部を補強することができ、しかも部品点数が少なく、取付作業が簡単な補強器具を実現することができる。
【符号の説明】
【００６７】
１００、２００、１０００  補強器具
１１０、１２０、２１０、２２０、１１０１、１２０１  挟持片
１１１、１２１、２１１、２２１、１１１１、１２１１  側片
１２２、２２２、１２２１  底片
１１１ａ、１２１ａ、２１１ａ、２２１ａ、１１１１ａ、１２１１ａ  上部片
１１１ｂ、１２１ｂ、２１１ｂ、２２１ｂ、１１１１ｂ、１２１１ｂ  下部片
１１２、２１２、１１１２  下端延在部
１２３、２２３、１２３１  当接片
１３０、２３０、１３０１  接続部
１３１、１３１１  中間部材
１３１ａ、１３１１ａ  一方側接続部分
１３１ｂ、１３１１ｂ  他方側接続部分
Ｈ  吊子
Ｒ  折板屋根
Ｒｍａ、Ｒｍｂ  屋根材
Ｓ  ハゼ部
Ｓｃ  接合部分
【図１】
2015071875.tif 000003
【図２】
2015071875.tif 000004
【図３】
2015071875.tif 000005
【図４】
2015071875.tif 000006
【図５】
2015071875.tif 000007
【図６】
2015071875.tif 000008
【図７】
2015071875.tif 000009
【図８】
2015071875.tif 000010
【図９】
2015071875.tif 000011
【図１０】
2015071875.tif 000012
【図１１】
2015071875.tif 000013
【図１２】
2015071875.tif 000014